(57)【要約】【課題】高いシールド性を確保することができるコネクタを提供する。【解決手段】同軸ケーブル２０の中心導体２１にコンタクト１１を接続し、このコンタクト１１をハウジング１２に保持させ、ハウジング１２を導電性を有するシェル１３に保持させる。同軸ケーブル２０に装着されたスリーブ１４をシェル１３内に挿入し、押付部材１５がスリーブ１４を介して同軸ケーブル２０の編組２３の先端部をシェル１３の内面に押し付ける。スリーブ１４の外周面に編組２３の先端部を収容する凹部１４１を形成し、編組２３の先端部を粘着テープ１６で凹部１４１に固定する。【選択図】図２
2011090958.tif 000002
【特許請求の範囲】
【請求項１】
少なくとも１本の内部導体とこれを保持する絶縁体とこれを被覆する外部導体とを有するケーブルの前記内部導体に接続されるコンタクトと、
このコンタクトを保持するハウジングと、
このハウジングを保持する導電性を有するシェルと、
前記ケーブルに装着され、前記シェル内に挿入されるスリーブと、
このスリーブを押圧して、前記外部導体の当接部を前記シェルの内面に押し付ける押付部材とを備え、
前記スリーブの外周面に、前記外部導体の先端部を収容する凹部が形成され、
前記外部導体の先端部が固定手段で前記凹部に固定されている
ことを特徴とするコネクタ。
【請求項２】
前記シェルの内周面に前記スリーブの挿入方向に対して傾斜するシェル側テーパ面が形成され、
前記スリーブの先端面の外周縁部に前記外部導体の前記当接部を介して前記シェル側テーパ面に接触するスリーブ側テーパ面が形成されている
ことを特徴とする請求項１記載のコネクタ。
【請求項３】
前記スリーブの先端面の内周縁部に円弧状部が形成されていることを特徴とする請求項１又は２記載のコネクタ。
【請求項４】
前記押付部材が前記シェルに形成されためねじ部にねじ込まれるおねじ部を有することを特徴とする請求項１〜３のいずれか１項記載のコネクタ。
【請求項５】
前記スリーブの後端面と前記押付部材の先端面との間にワッシャが配置されていることを特徴とする請求項４記載のコネクタ。
【請求項６】
前記押付部材が前記スリーブを介して前記外部導体の前記当接部を前記シェルの内面に押し付けたとき、前記ハウジングと前記スリーブとの間に隙間が形成されることを特徴とする請求項１〜５のいずれか１項記載のコネクタ。
【請求項７】
前記ケーブルが同軸ケーブルであり、前記内部導体が中心導体であり、前記外部導体が編組であることを特徴とする請求項１〜６のいずれか１項記載のコネクタ。
【発明の詳細な説明】
【技術分野】
【０００１】
この発明はコネクタに関する。
【背景技術】
【０００２】
従来、導体（内部導体）と、この導体を被覆する絶縁層と、この絶縁層を被覆する編組シールド（外部導体）と、この編組シールドを被覆するシースとを有する編組シールド電線（ケーブル）に接続される編組シールド電線用コネクタが知られている（下記特許文献１参照）。
【０００３】
このコネクタは中心コンタクトと絶縁スリーブ（ハウジング）と本体（シェル）と接続部とクランプ（スリーブ）とガスケットと座金（ワッシャ）と締付具（押付部材）とを有している。
【０００４】
本体は導電性を有し、ほぼ円筒状である。本体の中央部の内周面には環状のリブが形成されている。本体の前部には絶縁性スリーブが収容されている。接続部はほぼ円筒状であり、本体の先端部に回転可能に装着されている。クランプはほぼ円筒状であり、編組シールド電線の一端部に装着されている。クランプの先端面及び外周面は編組シールドの折返部で覆われている。ガスケットは編組シールド電線の一端部に装着され、クランプの後方に隣接配置されている。座金は編組シールド電線の一端部に装着され、ガスケットの後方に隣接配置されている。締付具は編組シールド電線の一端部に装着され、座金の後方に隣接配置されている。
【０００５】
クランプ、ガスケット及び座金は編組シールド電線の一端部とともに、本体の後部に収容される。締付具の先端部は本体の後部のめねじにねじ込まれ、クランプ、ガスケット及び座金が本体内に固定される。
【０００６】
この編組シールド電線用コネクタを編組シールド電線に接続するには、まず、編組シールド電線の一端部の絶縁層及びシースを切除して導体及び編組シールドを露出させる。
【０００７】
次に、締付具、座金、ガスケット、クランプの順で、これらを編組シールド電線の一端部に装着する。
【０００８】
その後、導体を中心コンタクトに半田付けする。
【０００９】
次に、編組シールドの先端部を折り返し、この折返部でクランプの先端面及び外周面を覆う。
【００１０】
その後、編組シールド電線の一端部を本体に挿入する。このとき、中心コンタクトの後端部は絶縁性スリーブに保持され、クランプ、ガスケット及び座金は本体の後部に収容される。
【００１１】
最後に、締付具の先端部を本体のめねじにねじ込む。その結果、編組シールドが本体のリブに押し付けられ、編組シールド電線に編組シールド電線用コネクタが接続される。
【先行技術文献】
【特許文献】
【００１２】
【特許文献１】特開２０００−３１１７５２号公報（段落０００２〜０００６、図６、図７参照）
【発明の概要】
【発明が解決しようとする課題】
【００１３】
上述のコネクタでは、編組シールド電線に編組シールド電線用コネクタを接続する際、単に編組シールド電線の先端部を折り返しているだけであるから、編組シールド電線の折返部の外径が本体の後部の内径よりも大きくなり易く、編組シールド電線の折返部がクランプとともに本体の後部にねじられるようにして挿入されることがある。
【００１４】
その結果、編組シールドの折返部がばらけ、編組シールドに編目の密の部分と編目の疎の部分とができる。編組シールドの編目の密の部分に接している本体の一部分には電流が流れ易く、十分なシールド性が確保される。これに対し、編組シールドの編目の疎の部分に接している本体の別の部分には電流が流れにくく、シールド性が低下する。したがって、全体として高いシールド性を確保することが困難であった。
【００１５】
この発明はこのような事情に鑑みてなされたもので、その課題は高いシールド性を確保することができるコネクタを提供することである。
【課題を解決するための手段】
【００１６】
上述の課題を解決するため請求項１記載の発明のコネクタは、少なくとも１本の内部導体とこれを保持する絶縁体とこれを被覆する外部導体とを有するケーブルの前記内部導体に接続されるコンタクトと、このコンタクトを保持するハウジングと、このハウジングを保持する導電性を有するシェルと、前記ケーブルに装着され、前記シェル内に挿入されるスリーブと、このスリーブを押圧して、前記外部導体の当接部を前記シェルの内面に押し付ける押付部材とを備え、前記スリーブの外周面に、前記外部導体の先端部を収容する凹部が形成され、前記外部導体の先端部が固定手段で前記凹部に固定されていることを特徴とする。
【００１７】
スリーブの外周面に、外部導体の先端部を収容する凹部が形成され、外部導体の先端部が固定手段で凹部に固定されているので、スリーブをシェル内に挿入したとき、外部導体の先端部がシェルの内面に接触しにくく、外部導体がばらけにくい。
【００１８】
請求項２記載の発明は、請求項１記載のコネクタにおいて、前記シェルの内周面に前記スリーブの挿入方向に対して傾斜するシェル側テーパ面が形成され、前記スリーブの先端面の外周縁部に前記外部導体の前記当接部を介して前記シェル側テーパ面に接触するスリーブ側テーパ面が形成されていることを特徴とする。
【００１９】
請求項３記載の発明は、請求項１又は２記載のコネクタにおいて、前記スリーブの先端面の内周縁部に円弧状部が形成されていることを特徴とする。
【００２０】
請求項４記載の発明は、請求項１〜３のいずれか１項記載のコネクタにおいて、前記押付部材が前記シェルに形成されためねじ部にねじ込まれるおねじ部を有することを特徴とする。
【００２１】
請求項５記載の発明は、請求項４記載のコネクタにおいて、前記スリーブの後端面と前記押付部材の先端面との間にワッシャが配置されていることを特徴とする。
【００２２】
請求項６記載の発明は、請求項１〜５のいずれか１項記載のコネクタにおいて、前記押付部材が前記スリーブを介して前記外部導体の前記当接部を前記シェルの内面に押し付けたとき、前記ハウジングと前記スリーブとの間に隙間が形成されることを特徴とする。
【００２３】
請求項７記載の発明は、請求項１〜６のいずれか１項記載のコネクタにおいて、前記ケーブルが同軸ケーブルであり、前記内部導体が中心導体であり、前記外部導体が編組であることを特徴とする。
【発明の効果】
【００２４】
この発明によれば、高いシールド性を確保することができるコネクタを提供することができる。
【図面の簡単な説明】
【００２５】
【図１】図１はこの発明の一実施形態に係るコネクタの斜視図である。
【図２】図２は図１に示すコネクタの断面図である。
【図３】図３は図１に示すコネクタのコンタクト、スリーブ及び押付部材の斜視図である。
【図４】図４は図１に示すコネクタのスリーブの斜視図である。
【図５】図５は図４に示すスリーブの断面図である。
【発明を実施するための形態】
【００２６】
この発明の一実施形態のコネクタを図１〜図５に基づいて説明する。
【００２７】
図１、図２に示すように、コネクタ１０は同軸ケーブル（ケーブル）２０に接続される。同軸ケーブル２０は中心導体（内部導体）２１と絶縁体２２と編組（外部導体）２３とシース２４とを有する。絶縁体２２は中心導体２１を覆う。編組２３は絶縁体２２を覆う。シース２４は編組２３を覆う。
【００２８】
コネクタ１０はコンタクト１１とハウジング１２とシェル１３とスリーブ１４と押付部材１５と粘着テープ（固定部材）１６とワッシャ１７とを有する。
である。
【００２９】
コンタクト１１は接触部１１１と保持部１１２と端子部１１３とを有する。接触部１１１は図示しない相手側コネクタのピンコンタクトを受けいれ、そのピンコンタクトを挟むようにしてピンコンタクトに接触する。保持部１１２は接触部１１１と端子部１１３とを連結する。保持部１１２はハウジング１２に保持される。端子部１１３はほぼ円筒状であり、中心導体２１を受けいれ、半田付け、あるいは圧着することにより、中心導体２１と電気的に接続される。
【００３０】
ハウジング１２はほぼ円柱状であり、絶縁性を有する材料（例えば樹脂）で形成される。ハウジング１２の中心部には中心孔１２１が形成されている。中心孔１２１の前部にはコンタクト１１が収容される。また、中心孔１２１の後部（図２の左側が前、右側が後）は同軸ケーブル２０の先端部を受けいれる。
【００３１】
シェル１３は導電性を有する材料（例えば金属）で形成され、ほぼ円筒状である。シェル１３はハウジング１２を収容し、保持する。また、シェル１３はスリーブ１４を収容する。シェル１３の中央部の内面にはシェル側テーパ面１３１ａが形成されている。また、シェル１３の後部の内面にはめねじ部１３１ｂが形成されている。
【００３２】
図４、図５に示すように、スリーブ１４はほぼ円筒状であり、導電性を有する材料（例えば金属）で形成される。スリーブ１４の外周面には周方向へ延びる凹部１４１が形成されている。スリーブ１４の先端面の外周縁にはスリーブ側テーパ面１４２が形成されている。スリーブ１４の先端面の内周縁には円弧状部１４３が形成されている。
【００３３】
図２、図３に示すように、スリーブ１４は同軸ケーブル２０の一端部に装着され、スリーブ１４の先端面と凹部１４１とが折り返された編組２３で覆われている。
【００３４】
押付部材１５は導電性を有する材料（例えば金属）で形成され、同軸ケーブル２０の一端部に装着される。押付部材１５はスリーブ１４の後方に隣接配置されている。押付部材１５はおねじ部１５１と摘み部１５２とを有する。おねじ部１５１はシェル１３のめねじ部１３１ｂにねじ込まれる。摘み部１５２はおねじ部１５１の後部に連なる。押付部材１５の中心部には中心孔１５３が形成されている。
【００３５】
後述するように、この実施形態では、押付部材１５がめねじ部１３１ｂにねじ込まれて、同軸ケーブル２０の編組２３の当接部２５がシェル１３のシェル側テーパ面１３１ａとスリーブ１４のスリーブ側テーパ面１４２とで挟まれたとき、編組２３とハウジング１２との間には隙間Ｇができる構造が採用されている。
【００３６】
粘着テープ１６はスリーブ１４の凹部１４１に収容された編組２３に巻き付けられている。
【００３７】
ワッシャ１７は導電性を有し、同軸ケーブル２０の一端部に装着される。ワッシャ１７はスリーブ１４と押付部材１５との間に介在する。
【００３８】
コネクタ１０に同軸ケーブル２０を結線するには、まず、図２、図３に示すように、同軸ケーブル２０の一端部のシース２４を剥がして編組２３の先端部を露出させ、その先端部を折り返して絶縁体２２の先端部を露出させるとともに、絶縁体２２の先端部を切除し、中心導体２１の先端部を露出させる。
【００３９】
次に、中心導体２１の先端部をコンタクト１１の端子部１１３に挿入し、その端子部１１３をかしめる。これにより、中心導体２１はコンタクト１１に接続される。
【００４０】
その後、折り返した編組２３を元の状態に戻し、押付部材１５、ワッシャ１７、スリーブ１４の順で、それらを同軸ケーブル２０の一端部に装着する。
【００４１】
次に、編組２３の先端部を再度折り返し、編組２３に粘着テープ１６を巻き付けて編組２３を凹部１４１に固定する。その結果、編組２３はスリーブ１４の凹部１４１に収まる。
【００４２】
その後、ハウジング１２の中心孔１２１にコンタクト１１を挿入する。中心孔１２１に挿入されたコンタクト１１はハウジング１２に保持される。
【００４３】
次に、ハウジング１２、スリーブ１４及びワッシャ１７を同軸ケーブル２０の一端部とともにシェル１３内に挿入する。このとき、編組２３の先端部は凹部１４１内に収容されているので、シェル１３の内周面に接触しない。
【００４４】
最後に、押付部材１５のおねじ部１５１をシェル１３のめねじ部１３１ｂにねじ込む。シェル１３にねじ込まれた押付部材１５はワッシャ１７を介してスリーブ１４をハウジング１２の方へ押し込む。押付部材１５が所定量ねじ込まれたとき、スリーブ１４のスリーブ側テーパ面１４２が編組２３を介してシェル１３のシェル側テーパ面１３１ａに突き当り、編組２３はシェル側テーパ面１３１ａに押し付けられる。なお、スリーブ１４と押付部材１５との間にはワッシャ１７が介在するので、押付部材１５の回転によりスリーブ１４がつれ回りすることはほとんどなく、スリーブ１４の挿入をスムーズに行える。
【００４５】
同軸ケーブル２０の編組２３の先端部がスリーブ１４の凹部１４１に収容され、更に粘着テープ１６で凹部１４１に固定されるので、スリーブ１４をシェル１３内に挿入したとき、編組２３の先端部がシェル１３の内周面に接触しにくいので、編組２３はばらけにくい。なお、編組２３の先端部をスリーブ１４の外周面から出ないように凹部１４１に固定すると、さらに編組２３がばらけにくくなる。
【００４６】
この実施形態によれば、同軸ケーブル２０の結線作業時に編組２３がばらけることを防止することができるので、高いシールド性を確保することができる。
【００４７】
また、シェル１３はシェル側テーパ面１３１ａを有し、スリーブ１４はスリーブ側テーパ面１４２を有するので、シェル側テーパ面１３１ａとスリーブ側テーパ面１４２とで確実に同軸ケーブル２０の編組２３の当接部２５を挟むことができ、シェル１３と編組２３との接触安定性を確保することができる。
【００４８】
更に、スリーブ１４には円弧状部１４３が形成され、折り返された編組２３の先端部は円弧状部１４３に接触するので、編組２３の損傷を防止することができる。
【００４９】
また、押付部材１５がシェル１３のめねじ部１３１ｂにねじ込まれるおねじ部１５１を有するので、同軸ケーブル２０の編組２３をシェル１３のシェル側テーパ面１３１ａに強く押し付けることができ、編組２３とシェル１３との接触安定性を確保することができる。
【００５０】
更に、スリーブ１４と押付部材１５との間にワッシャ１７が介在するので、押付部材１５の回転力によりスリーブ１４がつれ回りするのを抑制することができ、編組２３がばらけるのを抑制することができる。
【００５１】
また、同軸ケーブル２０の編組２３の当接部２５がシェル側テーパ面１３１ａに押し付けられたとき、ハウジング１２と編組２３との間に隙間Ｇができる構造が採用されているので、押付部材１５の押圧力がハウジング１２に加わらず、シェル１３と編組２３との接触安定性が確保される。
【００５２】
なお、上述の実施形態のコネクタ１０のシェル１３はシェル側テーパ面１３１ａを有し、スリーブ１４はスリーブ側テーパ面１４２を有するが、それらのテーパ面に代えて、シェル１３やスリーブ１４にそれらの径方向と平行な面（図示せず）を形成し、これらの面でシェル１３の中心線方向で編組２３を挟むか、又はスリーブ１４の外周面に周方向へ延びる凸部（図示せず）を形成し、この凸部とシェル１３の内周面とで編組２３をシェル１３の径方向で挟んでもよい。更に、スリーブ側テーパ面１４２を円弧状の面（図示せず）に代えてもよい。
【００５３】
また、スリーブ１４の先端面の内周縁部に円弧状部１４３を形成したが、傾斜面でも良く、またこれを省略してもよい。
【００５４】
なお、上述の実施形態のコネクタ１０では、同軸ケーブル２０の編組２３をシェル１３のシェル側テーパ面１３１ａに押し付けるための押付部材として、おねじ部１５１を有する押付部材１５を採用したが、同軸ケーブル２０の編組２３をシェル１３の内面に押し付けるため構成はおねじ部１５１を有する押付部材１５に限られない。
【００５５】
また、上述の実施形態のコネクタ１０では、スリーブ１４の後端面と押付部材１５の先端面との間にワッシャ１７を配置したが、必ずしもワッシャ１７を採用する必要はない。
【００５６】
なお、上述の実施形態のコネクタ１０では、スリーブ１４を介して編組２３の当接部２５をシェル１３のシェル側テーパ面１３１ａに押し付けたとき、編組２３がハウジング１２に接触しないようにスリーブ１４と編組２３との間に隙間Ｇが生じるようにしたが、スリーブ１４と編組２３とが軽く接触する程度なら、スリーブ１４と編組２３との間に隙間が無くてもよい。
【００５７】
また、上述の実施形態のコネクタ１０は同軸ケーブル２０用であるが、この発明のコネクタを、内部導体が複数あるケーブル用のコネクタとして用いることができるとともに、外部導体が編組２３以外のもので構成されているケーブル用のコネクタとして用いることもできる。
【００５８】
なお、上述の実施形態のコネクタ１０のコンタクト１１の端子部１１３はかしめることによって同軸ケーブル２０の導体部２１に接続されるが、コンタクト１１の端子部は半田付けタイプ等の端子部でもよい。
【００５９】
また、固定部材として粘着テープ１６が用いられているが、固定部材としては粘着テープ１６に限られず、接着剤や導電性接着剤、半田や輪ゴム等を用いてもよい。
【符号の説明】
【００６０】
１０  コネクタ
１１  コンタクト
１２  ハウジング
１３  シェル
１３１ａ  シェル側テーパ面
１３１ｂ  めねじ部
１４  スリーブ
１４１  凹部
１４２  スリーブ側テーパ面
１４３  円弧状部
１５  押付部材
１５１  おねじ部
１６  粘着テープ（固定部材）
１７  ワッシャ
２０  同軸ケーブル（ケーブル）
２１  中心導体（内部導体）
２２  絶縁体
２３  編組（外部導体）
【図１】
2011090958.tif 000003
【図２】
2011090958.tif 000004
【図３】
2011090958.tif 000005
【図４】
2011090958.tif 000006
【図５】
2011090958.tif 000007